(57)【特許請求の範囲】
【請求項１】
円筒状の竪樋の外周面の周方向の一部を覆うことができるように断面円弧状に屈曲されたアンテナ板と、このアンテナ板の裏面に突出した非導電性の竪樋取付け部とを備え、前記竪樋取付け部が前記円筒状の竪樋の外周に周方向に回動可能に取付けられるものであることを特徴とするアンテナ装置。
【請求項２】
請求項１に記載のアンテナ装置を前記竪樋に取付けたアンテナ装置付き竪樋であって、前記竪樋が竪樋取付け具により外壁に取付けられるものであり、この竪樋取付け具が前記竪樋の外周部を支持する竪樋支持部と、前記外壁に固定するための外壁固定部と、前記竪樋支持部と前記外壁固定部とを連結する連結部とを備え、前記竪樋取付け部が前記円筒状の竪樋の外周に周方向に回動可能に取付けられ、前記アンテナ板で前記竪樋の外周面の周方向の一部が覆われ、前記断面円弧状のアンテナ板の左右両端縁間に前記竪樋取付け具が位置する状態で、前記アンテナ板の前記竪樋取付け部の前記竪樋に対する所定角度の回動を許容するように前記アンテナ板の左右両端間の隙間寸法が設定されていることを特徴とするアンテナ装置付き竪樋。
【発明の詳細な説明】
【技術分野】
【０００１】
本発明は、アンテナ装置及びアンテナ装置付き竪樋に関する。
【背景技術】
【０００２】
特許文献１には、既存の導電性を有する竪樋をそのままにした状態で、この既存の導電性を有する竪樋の外面にアンテナ部と伝送路トラップ部を取付ける技術が開示されている。
【０００３】
このアンテナ部は、半円筒状の折り返し部の側方に半円筒状の給電部を設けたアンテナ素体を２枚組み合わせて構成される。
【０００４】
また、伝送路トラップ部は、既存の導電性を有する竪樋にアンテナ部を取付けるに当り、導電性を有する竪樋がアンテナ部の動作を乱さないように設けられる。この伝送路トラップ部は、半割り体を２枚組み合わせた二重筒構造に構成される。
【０００５】
アンテナ部は、既存の導電性を有する竪樋の長手方向の中間部の外面側に、２枚のアンテナ素体の折り返し部が配置され、アンテナ素体の左右両側に外方に突出した鍔同士がねじにより固定されることで２枚のアンテナ素体が連結されて既存の竪樋に取付けられる。
【０００６】
伝送路トラップ部は、アンテナ部の上下位置に、それぞれ２枚の半割り体が配置され、半割り体の上下に突出した接合片同士がねじにより固定されることで２枚の半割り体が連結されて竪樋に取付けられる。
【先行技術文献】
【特許文献】
【０００７】
【特許文献１】特開平１−１６８１０１号公報
【発明の概要】
【発明が解決しようとする課題】
【０００８】
しかし、特許文献１に示す従来例は、アンテナ部を竪樋に取付ける部分、つまりアンテナ素体の両側に外方に突出した鍔同士をねじで固定する部分が竪樋の正面側に露出し、しかも、左右両側に突出する。
【０００９】
また、伝送路トラップ部を竪樋に取付ける部分、つまり半割り体の上下に突出した接合片同士をねじで固定する部分が竪樋の正面側に露出する。
【００１０】
このように、鍔同士をねじにより固定する部分、接合片同士をねじにより固定する部分が竪樋の正面側に露出するので、外観が悪い。
【００１１】
特に、鍔同士をねじにより固定する部分が左右両側に突出して露出するので、人や物が引っ掛かりやすいという問題がある。
【００１２】
本発明の目的は、竪樋への取付け部分が露出しないように取付けることができるアンテナ装置及びアンテナ装置付き竪樋を提供するにある。
【課題を解決するための手段】
【００１３】
本発明のアンテナ装置は、円筒状の竪樋の外周面の周方向の一部を覆うことができるように断面円弧状に屈曲されたアンテナ板と、このアンテナ板の裏面に突出した非導電性の竪樋取付け部とを備え、前記竪樋取付け部が前記円筒状の竪樋の外周に周方向に回動可能に取付けられるものであることを特徴とする。
【００１５】
また、アンテナ装置付き竪樋は、請求項１に記載のアンテナ装置を前記竪樋に取付けたアンテナ装置付き竪樋であって、前記竪樋が竪樋取付け具により外壁に取付けられるものであり、この竪樋取付け具が前記竪樋の外周部を支持する竪樋支持部と、前記外壁に固定するための外壁固定部と、前記竪樋支持部と前記外壁固定部とを連結する連結部とを備え、前記竪樋取付け部が前記円筒状の竪樋の外周に周方向に回動可能に取付けられ、前記アンテナ板で前記竪樋の外周面の周方向の一部が覆われ、前記断面円弧状のアンテナ板の左右両端縁間に前記竪樋取付け具が位置する状態で、前記アンテナ板の前記竪樋取付け部の前記竪樋に対する所定角度の回動を許容するように前記アンテナ板の左右両端間の隙間寸法が設定されていることを特徴とする。
【発明の効果】
【００１７】
本発明は、アンテナ板の裏面に竪樋取付け部が突出しているので、竪樋取付け部を竪樋に取付けた状態で竪樋取付け部がアンテナ板に隠れ、竪樋の正面側に露出せず、外観を損ね難く、また、竪樋取付け部に人や物が引っ掛かったりし難い。また、竪樋取付け部が非導電性なので、アンテナ板の裏面に竪樋取付け部を突出したといえども、竪樋取付け部がアンテナ板のアンテナ性能に影響を及ぼし難い。
【図面の簡単な説明】
【００１８】
【図１】本発明のアンテナ装置を示し、（ａ）は正面側からの斜視図であり、（ｂ）は背面側からの斜視図であり、（ｃ）は横断面図である。
【図２】同上のアンテナ装置を竪樋に取付ける前の分解斜視図である。
【図３】同上のアンテナ装置を竪樋に取付けた状態の縦断面図である。
【図４】同上の横断面図である。
【図５】（ａ）は同上のアンテナ板の左端が竪樋取付け具の連結部に当たる状態を示す断面図であり、（ｂ）はアンテナ板の右端が竪樋取付け具の連結部に当たる状態を示す断面図である。
【図６】本発明のアンテナ装置の他の実施形態の分解斜視図である。
【図７】同上の一部破断した拡大縦断面図である。
【図８】本発明のアンテナ装置の更に他の実施形態の分解斜視図である。
【図９】同上の一部破断した拡大縦断面図である。
【図１０】本発明のアンテナ装置の更に他の実施形態の一部破断した拡大縦断面図である。
【図１１】本発明のアンテナ装置の更に他の実施形態の分解斜視図である。
【図１２】同上の竪樋取付け部を本体部の裏面に取付ける部分を示す拡大縦断面図である。
【図１３】同上の竪樋取付け部を本体部の裏面に取付ける他の実施形態の拡大縦断面図である。
【発明を実施するための形態】
【００１９】
以下、本発明を添付図面に示す実施形態に基づいて説明する。
【００２０】
図１にはアンテナ装置４の一実施形態が示されている。アンテナ装置４は、アンテナ板２と、アンテナ板２の裏面に突出した竪樋取付け部３を備えている。
【００２１】
アンテナ板２は、竪樋１の外周面の周方向の一部を覆うことができるように屈曲した本体部１０と、本体部１０に備えたテレビ信号を受信するためのアンテナ部１１を備えている。
【００２２】
本体部１０は、円筒状の竪樋１の外周面の一部を覆うことができるように断面略円弧状に形成されている。アンテナ板２が角筒状の竪樋１の外周面の周方向の一部を覆う例の場合、本体部１０は断面略コ字状に形成される。
【００２３】
実施形態において本体部１０は非導電性の合成樹脂のような非導電性材料により形成される。
【００２４】
アンテナ部１１は、本体部１０に埋設又は積層される。図１の実施形態ではアンテナ部１１が合成樹脂よりなる本体部１０に一体に埋設してある例が示されている。
【００２５】
図１に示す実施形態のアンテナ部１１はスロットアンテナの例が示されており、導電性の縦長矩形状の薄い金属板材１２（金属箔も含まれる）に細長いスロット１３を設けることで形成される。
【００２６】
また、図１の実施形態では、金属板材１２のスロット１３が上下方向に複数並べて設けられており、隣接するスロット１３同士は細溝１４で接続されている。各スロット１３は三角形の頂点を互いに突き合わせたようなボウタイ形状に形成されている。
【００２７】
アンテナ部１１は、第一の周波数帯（例えば４７３〜６００ＭＨｚ）の電波を受信する第一の受信部１５と、第二の周波数帯（例えば６００〜７２０ＭＨｚ）の電波を受信する第二の受信部１６を有している。
【００２８】
第一の受信部１５は、スロット１３及び当該スロット１３の周縁部により構成される。第二の受信部１６は、このスロット１３に対し上下方向に隣接する金属板材１２部分により構成される。
【００２９】
第一の受信部１５を構成するスロット１３の上下方向の長さは、前記第一の周波数帯内の電波の電気的な半波長の長さに対応して決定される。また、第二の受信部１６の周方向の長さは、前記第二の周波数帯内の電波の電気的な半波長の長さに対応して決定される。
【００３０】
金属板材１２のスロット１３の両側の三角形の頂点部分がそれぞれ給電部１７となっている。この給電部１７には給電ケーブル（図示せず）が接続される。
【００３１】
本体部１０の裏面に突設された竪樋取付け部３は、合成樹脂のような非導電性の材料で形成されている。
【００３２】
竪樋取付け部３は一部又は全部が本体部１０と一体に成形されたものでもよく、あるいは、竪樋取付け部３は本体部１０と別体に形成され、接着、ねじのような固定具、係止による固定等の任意の固定手段で本体部１０の裏面に固着されたものでもよい。
【００３３】
竪樋取付け部３は、非導電性の合成樹脂のような非導電性材料により形成される。また、この竪樋取付け部３は、一対の半体１８の一端部同士を軸受部１９で回動可能に連結して構成され、一対の半体１８の他端部の係止部２０と被係止部２１が係止自在となっている。なお、図１（ｃ）の実施形態では略半円状の半体１８の例が示されている。
【００３４】
上記の構成のアンテナ装置４は、図２のように建物の外壁５に取付けられた竪樋１に取付けられる。
【００３５】
竪樋１は、断面円筒状又は断面角筒状をしており、竪樋取付け具６により外壁５に取付けられる。
【００３６】
竪樋取付け具６は、図３に示されるように、竪樋１の外周部を支持する竪樋支持部７と、外壁５に固定するための外壁固定部８と、竪樋支持部７と外壁固定部８とを連結する連結部９とを備えている。
【００３７】
竪樋支持部７は、一対の竪樋支持半体２２の一端部同士を軸受部で回動可能に連結して構成され、一対の竪樋支持半体２２の他端部の係止部と被係止部が係止自在となっている。
【００３８】
竪樋取付け具６は、外壁固定部８が外壁５に固定され、一対の竪樋支持半体２２で竪樋１の外周を囲んだ状態で係止部と被係止部を係止することで、竪樋１を支持する。
【００３９】
竪樋取付け具６は通常外壁５に上下方向に１ｍピッチで固定される。また、強風地域では竪樋取付け具６は外壁５に上下方向に８５ｃｍピッチで固定される。
【００４０】
アンテナ板２は上記のように外壁５に取付けられた竪樋１に後付けで取付けられる。この場合、竪樋１としては、新築あるいは改築により新しく施工された竪樋１であってもよく、あるいは、新築又は改築から時間が経過した既設のもののいずれであってもよい。
【００４１】
アンテナ板２の取付けに当たっては、一対の半体１８で竪樋１の上下方向の任意の位置の外周を囲んだ状態で係止部２０と被係止部２１を係止することで、図４のように一対の半体１８で竪樋１の外周を強く締め付けてアンテナ板２が竪樋１に取付けられる。
【００４２】
このように本体部１０の裏面に突出した竪樋取付け部３を竪樋１に取付けてアンテナ板２を竪樋１に取付けるので、竪樋取付け部３が本体部１０で隠されて竪樋１の正面側に露出せず、外観を損ね難い。また、竪樋取付け部３がアンテナ板２の左側又は右側に突出しないので、竪樋取付け部３に人や物が引っ掛かり難い。
【００４３】
また、竪樋取付け部３が非導電性なので、アンテナ板２の裏面に竪樋取付け部３を突出したといえども、竪樋取付け部３がアンテナ板２のアンテナ性能に影響を及ぼし難い。
【００４４】
ここで、竪樋１が円筒状の場合、竪樋取付け部３は竪樋１の外周に周方向に回動可能に取付けられ、竪樋取付け部３を竪樋１の周方向に回動することで、アンテナ板２の向きが可変可能となり、アンテナ板２の受信方向が調整できる。
【００４５】
アンテナ板２の向きを調整する場合、係止部２０と被係止部２１の係止を解除した状態で竪樋取付け部３を回動し、受信方向の調整が済んだ後に係止部２０と被係止部２１を係止して一対の半体１８で竪樋１の外周を強く締め付ける。
【００４６】
これによりアンテナ板２は、竪樋１の上下方向の任意の位置で且つ現場に応じた最良の受信方向を向いた状態で取付けられ易く、また、強く締め付けて取付けられるため、最良の受信方向を向いた状態が維持され易く、且つ、下方へのずれが抑制される。
【００４７】
上記のようにアンテナ板２は竪樋１の上下方向の任意の位置に取付けられるが、更に、図３のように上の竪樋取付け部３の下端が竪樋取付け具６の竪樋支持部７の上端に当たるように取付けられ、また、下の竪樋取付け部３の上端が別の竪樋取付け具６の竪樋支持部７の下端に当たるように取付けられるのが好ましい。
【００４８】
この場合、断面円弧のアンテナ板２の左右両端縁間の隙間に竪樋取付け具６の連結部６が位置し、竪樋取付け具６に邪魔されることなく断面円弧状のアンテナ板２が取付けられる。
【００４９】
本例では上の竪樋取付け部３の下端が竪樋支持部７の上端に当たるため、より確実に上の竪樋取付け部３の下方へのずれが防止され、アンテナ板２が下方にずれ下がり難い。また、下の竪樋取付け部３の上端が別の竪樋取付け具６の竪樋支持部７の下端に当たるため、強風などで下の竪樋取付け部３の上方へのずれが防止され、アンテナ板２が上方にずれ難い。
【００５０】
このようにアンテナ板２を取付けるには、図１に示す上下の竪樋取付け部３間の長さ寸法Ｍが上下の竪樋取付け具６の固定のピッチに対応した長さに設定される。
【００５１】
つまり、通常地域では竪樋取付け具６の固定のピッチが１ｍであり、また、強風地域では竪樋取付け具６の固定のピッチが８５ｃｍなので、寸法Ｍは施工地域に対応して決定される。
【００５２】
図１、図３は上下の竪樋取付け部３間の長さ寸法Ｍが、竪樋取付け具６の固定のピッチが１ｍの通常地域に対応する長さに設定された例、図１１は竪樋取付け具６の固定のピッチが８５ｃｍの強風地域に対応する長さに設定された例である。
【００５３】
そして、上下の竪樋取付け部３がそれぞれ対応する竪樋支持部７に当たって上下にずれないように取付けても、上下の竪樋取付け部３は竪樋１の周方向に所定角度の回動が可能でアンテナ板２の向きが可変可能とされている。
【００５４】
このため、断面円弧状のアンテナ板２の左右両端縁間の隙間寸法は、アンテナ板２の左右両端縁間の隙間に竪樋取付け具６が位置する状態で、竪樋取付け部３の竪樋１に対する回動に基づく所定角度の回動を許容するような隙間寸法に設定されている。
【００５５】
上記所定角度の回動とは、図５（ａ）に示すアンテナ板２の左端が竪樋取付け具６の連結部９に当る状態から、図５（ｂ）に示すアンテナ板２の右端が竪樋取付け具６の連結部９に当る状態までの回動角度のことである。
【００５６】
回動角度の一例を示すと左右方向に±４５°であり、この例の場合、断面円弧状のアンテナ板２の左右両端縁間の開き角度が９０°である。もちろんアンテナ板２の左右両端縁間の開き角度は９０°のみに限定されない。
【００５７】
上記例の竪樋取付け部３は、一端部同士が軸受部１９で回動可能に連結された一対の半体１８の他端部に係止部２０と被係止部２１備えた構成の例であるが、竪樋取付け部３はこの例にのみ限定されない。
【００５８】
例えば図示を省略しているが、竪樋取付け部３は、一端部同士が軸受部１９で回動可能に連結された一対の半体１８の他端部にそれぞれ連結片を設け、連結片同士をねじで締め付ける構成でもよい。
【００５９】
また、図示を省略しているが、一対の半体１８の両端部にそれぞれ連結片を設け、両側の連結片同士をねじで締め付ける構成でもよい。
【００６０】
これらのねじによる締め付けの例においては、竪樋１に一対の半体１８を強く締め付けることが可能となり、受信方向の調整後にねじを強く締め付けることで最良の受信方向を向いた状態がより確実に維持され、且つ、より確実に下方へのずれが抑制される。
【００６１】
図１の実施形態では、アンテナ部１１が本体部１０に一体に埋設してある例が示されている。
【００６２】
また、図７の実施形態では、本体部１０が表面側カバー２６と、これとは別体の裏面側カバー２７とを組合わせ結合することで構成された例が示されている。
【００６３】
本例において表面側カバー２６は、電気絶縁性の合成樹脂のような電気絶縁材料で断面円弧状に形成され、外周縁部に背方に向けて壁部２８が突設され、さらに複数の係止爪２９が突設されている。
【００６４】
裏面側カバー２７は、電気絶縁性の合成樹脂のような電気絶縁材料で断面円弧状に形成され、且つ、表面側カバー２６の裏面の壁部２８に囲まれた部分にぴったりと嵌り込む大きさに形成されており、更に、複数の係止孔３０が形成されている。
【００６５】
アンテナ部１１は、導電性の縦長矩形状の薄い金属板材１２（金属箔も含まれる）に細長いスロット１３を設けることで形成されている。
【００６６】
アンテナ部１１は表面側カバー２６の裏面の壁部２８に囲まれた部分に配置される。更に、裏面側カバー２７はアンテナ部１１を介して表面側カバー２６の裏面の壁部２８に囲まれた部分に配置され、係止爪２９が係止孔３０に係止されることで、表面側カバー２６と裏面側カバー２７が連結される。
【００６７】
これによりアンテナ部１１は本体部１０を構成する表面側カバー２６と裏面側カバー２７とで挟持され且つ本体部１０内に配置されることになる。
【００６８】
なお、アンテナ部１１としては、導電性の縦長矩形状の薄い金属板材１２（金属箔も含まれる）に細長いスロット１３が形成されたものを単独で使用できる。
【００６９】
また、アンテナ部１１としては、スロット１３が形成された金属板材１２が非導電性の合成樹脂シート３４で覆われたものでもよい。合成樹脂シート３４で覆われたものは、金属板材１２の錆の発生が抑制される。
【００７０】
また、図７のように、表面側カバー２６又は裏面側カバー２７には通気孔３１が形成してあることが好ましい。このように、通気孔３１を形成すると、表面側カバー２６の壁部２８に囲まれた部分にアンテナ部１１を介して裏面側カバー２７を重ねて上記のように連結する際、重複部分の空気を通気孔３１から出すことができ、組立てが容易にできる。
【００７１】
図８、図９には、表面側カバー２６と、これとは別体の裏面側カバー２７とを組合わせ結合することで構成される本体部１０の他例が示されている。
【００７２】
本例では、表面側カバー２６の裏面にアンテナ部１１を介して裏面側カバー２７が配置され、表面側カバー２６と裏面側カバー２７がねじ３２で連結されることでアンテナ部１１が表面側カバー２６と裏面側カバー２７とで挟持され且つ本体部１０内に配置される。
【００７３】
ここで、アンテナ部１１としては、図８のように金属板材１２を非導電性の合成樹脂シート３４で覆われたものが使用され、合成樹脂シート３４の端部の金属板材１２に重ならない部分に孔３５があけられている。また、表面側カバー２６の裏面にはボス３６が形成されている。
【００７４】
そして、アンテナ部１１は、表面側カバー２６の裏面に配置されて孔３５がボス３６に嵌められる。この状態で表面側カバー２６の裏面に裏面側カバー２７が配置され、裏面側カバー２７の孔３７からねじ３２が挿入されてボス３６にねじ込まれ、これによりアンテナ部１１が表面側カバー２６と裏面側カバー２７とで挟持され且つ本体部１０内に配置される。
【００７５】
図１０には、表面側カバー２６と、これとは別体の裏面側カバー２７とを組合わせ結合することで構成される本体部１０の更に他例が示されている。
【００７６】
本例では、表面側カバー２６の裏面に、表面側に押え用突起３９を突設した裏面側カバー２７が弾性連結部３８を介して連結されている。裏面側カバー２７の表面側に突設した押え用突起３９は弾性連結部３８の弾性力で表面側カバー２６の裏面に弾接される。
【００７７】
そして、アンテナ部１１は、表面側カバー２６と裏面側カバー２７との間に介在され、押え用突起３９により表面側カバー２６の裏面に押付けられる。
【００７８】
ここで、アンテナ部１１を表面側カバー２６と裏面側カバー２７との間に介在するには、裏面側カバー２７を弾性連結部３８の弾性力に抗して開き、表面側カバー２６の裏面にアンテナ部１１を重ね、この状態で裏面側カバー２７を元に戻すことにより行われる。
【００７９】
前記各例のように、本体部１０が、表面側カバー２６とこれとは別体の裏面側カバー２７とを組合わせ結合することで構成されるものにおいては、本体部１０内にアンテナ部１１を簡単に配置できて、ユニット化されたアンテナ板２が容易に形成される。
【００８０】
もちろん、表面側カバー２６と裏面側カバー２７とを組合わせ結合して本体部１０を形成するのは上記例にのみ限定されず、他の組合わせ結合の構成が可能である。
【００８１】
図１１、図１２には竪樋取付け部３を本体部１０の裏面に固着する固定手段の一例が示されている。
【００８２】
本例においては、本体部１０裏面に嵌込み溝部４０が形成され、この嵌込み溝部４０に竪樋取付け部３に設けられた嵌込み部４１が嵌め込まれて取付けられる。
【００８３】
嵌込み溝部４０の内部の溝は、左右長さが上下巾と同じ又は上下巾より長く形成されており、嵌め込み溝部４０の裏面には嵌込み溝部４０内の溝に連通する開口部４２が形成される。この開口部４２の開口巾（上下巾）は嵌込み溝部４０内の上下巾より巾狭に形成され、開口部４２の左右長さは嵌込み溝部４０内の上下巾と同じ又は上下巾より長く形成される。
【００８４】
嵌込み部４１は竪樋取付け部３からの突出基部４３と突出基部４３の先端に一体に形成された板状突部４４とで構成される。板状突部４４は上下方向に細長の長方形状に形成されている。長方形状の板状突部４４は、長辺の長さが開口部４２の左右巾より長く且つ嵌込み溝部４０内の溝の上下巾と同じ又は短く形成され、短辺の長さが開口部４２の上下巾より短く形成され、また、厚さが嵌込み部４１内の溝の溝深さとほぼ同じに形成される。
【００８５】
板状突部４４は長辺が左右方向を向くような姿勢にして開口部４２から嵌込み溝部４０内に嵌込まれ、次に、長辺が上下方向を向くように回転することで嵌込み溝部４０内に外れないように取付けられる。
【００８６】
ここで、板状突部４４は、一対の対角線上に位置するコーナ部を面取りして面取り部４５が形成されており、板状突部４４を開口部４２内で上記のように回転する際、長辺が上下方向を向く操作がスムーズにでき、短辺を開口部４２内の溝内の上下面に圧接することが可能となる。
【００８７】
なお、本例においては、本体部１０が一体形成されたもの、表面側カバー２６と裏面側カバー２７とを組み合わせ結合したもののいずれでもよく、後者の場合は裏面側カバー２７に嵌込み溝部４０が形成される。
【００８８】
図１３にはアンテナ板２の竪樋取付け部３を本体部１０の裏面に固着する固定手段の他例が示されている。
【００８９】
本例においては、本体部１０が表面側カバー２６と裏面側カバー２７とを組み合わせ結合することで構成され、竪樋取付け部３が裏面側カバー２７にねじ３２により固定される。
【００９０】
もちろん、竪樋取付け部３を本体部１０の裏面に固着する固定手段は、上記の例にのみ限定されず、係止による固着を含む他の任意の種々の固着手段が採用可能である。
【符号の説明】
【００９１】
１  竪樋
２  アンテナ板
３  竪樋取付け部
４  アンテナ装置
５  外壁
６  竪樋取付け具
７  竪樋支持部
８  外壁固定部
９  連結部
【図１】
0005699284.tif 000002
【図２】
0005699284.tif 000003
【図３】
0005699284.tif 000004
【図４】
0005699284.tif 000005
【図５】
0005699284.tif 000006
【図６】
0005699284.tif 000007
【図７】
0005699284.tif 000008
【図８】
0005699284.tif 000009
【図９】
0005699284.tif 000010
【図１０】
0005699284.tif 000011
【図１１】
0005699284.tif 000012
【図１２】
0005699284.tif 000013
【図１３】
0005699284.tif 000014